(57)【要約】      （修正有）【課題】単位画素を構成するＢのサブ画素の代わりにＷのサブ画素を設けた電気光学装置において、適切な白表示を行う。【解決手段】カラー画素として機能する１つの単位画素がＲ、Ｇ、Ｂ及びＷのサブ画素を含んで構成される。複数の単位画素が縦横に多数配列されて表示領域が構成される。ＲＧＢの各サブ画素は、それぞれＲＧＢの着色層を有する。Ｒ及びＧのサブ画素の着色層６Ｒ，６ＧをＢのサブ画素の着色層６Ｂと比べて、厚さを一定とし、濃度を小さくすることにより、表示される白色のホワイトバランスを調整し、好ましい白色を表示することが可能となる。【選択図】図５
2007094029.tif 000002
【特許請求の範囲】
【請求項１】
各々が赤、緑、青及び白の各色のサブ画素により構成される複数の単位画素を備え、
前記赤、緑及び青のサブ画素は着色層を備え、
前記赤及び緑のサブ画素の着色層は、前記青のサブ画素の着色層より厚さが薄いか、濃度が低いかの少なくともいずれか一方を満たすことを特徴とする電気光学装置。
【請求項２】
前記緑のサブ画素の着色層は、前記赤のサブ画素の着色層より厚さが薄いか、濃度が低いかの少なくともいずれか一方を満たすことを特徴とする請求項１に記載の電気光学装置。
【請求項３】
前記単位画素は、２つの赤のサブ画素、２つの緑のサブ画素、１つの青のサブ画素及び１つの白のサブ画素により構成されていることを特徴とする請求項１又は２に記載の電気光学装置。
【請求項４】
前記赤及び緑のサブ画素の着色層は、前記青のサブ画素の着色層の１／２以下の厚さ又は濃度であることを特徴とする請求項１乃至３のいずれか一項に記載の電気光学装置。
【請求項５】
前記赤及び緑のサブ画素の着色層は、前記青のサブ画素の着色層の１／４の厚さ又は濃度であることを特徴とする請求項１に記載の電気光学装置。
【請求項６】
請求項１乃至５のいずれか一項に記載の電気光学装置を表示部として備えることを特徴とする電子機器。
【発明の詳細な説明】
【技術分野】
【０００１】
本発明は、各種情報の表示に用いて好適な電気光学装置及び電子機器に関する。
【背景技術】
【０００２】
従来より、液晶装置、有機エレクトロルミネッセンス表示装置、プラズマディスプレイ装置、及びフィールドエミッション表示装置などの各種の電気光学装置が知られている。
【０００３】
そのような電気光学装置の一例としてのカラー表示型の液晶装置は、各サブ画素に対応する位置に、Ｒ（赤）、Ｇ（緑）、Ｂ（青）の３色のカラーフィルタが配置されており、このＲ、Ｇ、Ｂの３色に対応する３つのサブ画素によって１つの単位画素（ドット）を表示する。
【０００４】
しかしながら、このような液晶装置では、通常、Ｒ、Ｇ、Ｂの各色のカラーフィルタに入射する光の約１／３程度だけを透過させるため、全体的に光効率が低下するという短所を有している。これを改善する画素配列構造として、例えば、画像を表示する時に一層有利な高解像度の表現能力を有すると同時に、設計費用を最少化することができる画素配列構造が提案されている（例えば、特許文献１、２を参照）。具体的には、これらの文献では、１つの単位画素を、２つのＲのサブ画素、２つのＧのサブ画素、１つのＢのサブ画素及び１つのＷ（白又は透明）のサブ画素により構成している。
【０００５】
【特許文献１】特開２００４−４８２２号公報
【特許文献２】特開２００４−７８２１８号公報
【発明の開示】
【発明が解決しようとする課題】
【０００６】
しかし、１つの単位画素を、２つのＧのサブ画素、２つのＧのサブ画素、１つのＢのサブ画素及び１つのＷのサブ画素により構成した場合、Ｂのサブ画素を半数犠牲にしてＷのサブ画素を設けているため、透過表示、反射表示ともに白色が黄色がかった色になる恐れがある。
【０００７】
本発明は、以上の点に鑑みてなされたものであり、単位画素を構成するＢのサブ画素の代わりにＷのサブ画素を設けた電気光学装置において、適切な白表示を行うことを課題とする。
【課題を解決するための手段】
【０００８】
本発明の１つの観点によれば、電気光学装置は、各々が赤、緑、青及び白の各色のサブ画素により構成される複数の単位画素を備え、前記赤、緑及び青のサブ画素は着色層を備え、前記赤及び緑のサブ画素の着色層は、前記青のサブ画素の着色層のより厚さが薄いか、濃度が低いかの少なくともいずれか一方を満たすことを特徴とする。
【０００９】
上記の電気光学装置は、例えば液晶装置などにより構成され、カラー画素として機能する１つの単位画素が赤、緑、青及び白のサブ画素を含んで構成される。複数の単位画素が縦横に多数配列されて表示領域が構成される。赤緑青の各サブ画素は、それぞれ赤緑青の着色層を有する。本電気光学装置では、赤及び緑のサブ画素の着色層を、青のサブ画素の着色層と比べて厚さが薄いか、濃度が低いかの少なくとも一方を満たす。通常の赤緑青３色のサブ画素に白のサブ画素を追加して表示輝度を上げる場合には、青のサブ画素を犠牲にする場合が多いが、そうすると青のサブ画素の領域が赤、緑に対して相対的に減少し、表示される白色が黄色がかった白色となってしまう。そこで、その分赤及び緑のサブ画素の着色層を青のサブ画素の着色層と比べて、厚さ又は濃度の少なくともいずれか一方を小さくすることにより、表示される白色のホワイトバランスを調整し、好ましい白色を表示することが可能となる。
【００１０】
上記の電気光学装置の一態様では、前記緑のサブ画素の着色層は、前記赤のサブ画素の着色層より厚さが薄いか、濃度が低いかの少なくともいずれか一方を満たす。赤緑青の着色層を通過する光の分光特性を見ると、緑の着色層の透過光の波長範囲は青の着色層の透過光の波長範囲と隣接し、部分的に重なっている。一方、赤の着色層の透過光の波長範囲は青の着色層の透過光の波長範囲とは隣接しておらず、重なってもいない。よって、赤の着色層の厚さ又は濃度を小さくするより、青の着色層の厚さを薄くするか、濃度を低くするかの少なくともいずれか一方を満たすようにした方が、青の波長範囲の透過光をより効果的に増加させることができる。
【００１１】
単位画素が２つの赤のサブ画素、２つの緑のサブ画素、１つの青のサブ画素及び１つの白のサブ画素により構成されている場合、前記赤及び緑のサブ画素の着色層は、前記青のサブ画素の着色層の１／２以下の厚さ又は濃度であることが好ましく、好適な例では前記青のサブ画素の着色層の１／４の厚さ又は濃度とする。
【００１２】
また、本発明の他の観点では、上記の電気光学装置を表示部として備える電子機器を構成することができる。
【発明を実施するための最良の形態】
【００１３】
以下、図面を参照して本発明を実施するための最良の形態について説明する。尚、以下の各種実施形態は、本発明を電気光学装置の一例としての液晶装置に適用したものである。  本発明の実施形態は、少なくともＲ（赤）、Ｇ（緑）、Ｂ（青）、Ｗ（白又は透明）の４色を用いて１つの画素を構成し、さらに、従来とは異なる描画操作技術（レンダリング技術）を用いて画像表示を行う。レンダリング技術は、任意の１画素においてRGB各色の色層をそれぞれ備えたサブ画素に印加される階調信号を、自画素内のサブ画素のみならず、自画素の周辺の同一色相のサブ画素にも重畳させて印加するという画像処理技術を用いるものであり、実際の画素数よりも高い解像度感を視認できるものである。これにより、例えば、ＱＶＧＡ（Quarter Video Graphics Array)規格に対応する画面表示解像度を有する液晶装置を用いた場合に、ＶＧＡ（Video Graphics Array)規格に対応する画面表示解像度を実現する。
【００１４】
なお、以下の説明では、本発明を、三端子素子の一例としてのａ−Ｓｉ型ＴＦＴ（Thin Film Transistor）素子を用いたアクティブマトリクス駆動方式の液晶装置に適用する。
【００１５】
［液晶装置の構成］
まず、図１及び図２を参照して、本発明に係る液晶装置１００の構成等について説明する。
【００１６】
図１は、本発明に係る液晶装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と、また、紙面横方向（行方向）をＸ方向と夫々規定する。また、図１において、Ｒ（赤）、Ｂ（青）、Ｇ（緑）、Ｗ（白又は透明）に対応する各領域は１つのサブ画素領域ＳＧを示していると共に、Ｒ、Ｇ、Ｂ、Ｗに対応する２行３列のサブ画素領域ＳＧは、１つの（単位）画素領域ＡＧを示している。なお、以下では、サブ画素領域ＳＧ内に存在する１つの画素電極を「サブ画素」と称し、また、画素領域ＡＧ内に存在する複数の画素電極を「画素」と称する。
【００１７】
液晶装置１００は、素子基板９１と、その素子基板９１に対向して配置されるカラーフィルタ基板９２とが枠状のシール材５を介して貼り合わされ、そのシール材５の内側に液晶が封入されて液晶層４が形成されてなる。
【００１８】
ここに、液晶装置１００は、Ｒ、Ｇ、Ｂ、Ｗの４色を用いて構成されるカラー表示用の液晶装置であると共に、スイッチング素子としてａ−Ｓｉ型ＴＦＴ素子を用いたアクティブマトリクス駆動方式の液晶装置である。また、液晶装置１００は、照明装置からの照明光を利用して透過表示を行うとともに、外光を使用して反射表示を行う半透過反射型の液晶装置である。
【００１９】
まず、液晶装置１００の平面構成について説明する。
【００２０】
素子基板９１の平面構成は次の通りである。素子基板９１の内面上には、主として、複数のソース線３２、複数のゲート線３３、複数のａ−Ｓｉ型ＴＦＴ素子２１、複数の画素電極１０、ドライバＩＣ４０、外部接続用配線３５及びＦＰＣ（Flexible Printed Circuit）４１などが形成若しくは実装されている。
【００２１】
図１に示すように、素子基板９１は、カラーフィルタ基板９２の一辺側から外側へ張り出してなる張り出し領域３６を有しており、その張り出し領域３６上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣの出力側の端子（図示略）と電気的に接続されている。
【００２２】
各ソース線３２は、Ｙ方向に延在するように形成されており、各ソース線３２の一端側は、ドライバＩＣ４０の出力側の端子（図示略）に電気的に接続されている。各ゲート線３３は、Ｙ方向に延在するように形成された第１配線３３ａと、その第１配線３３ａの終端部からＸ方向に延在するように形成された第２配線３３ｂとを備える。各ゲート線３３の第２配線３３ｂは、１行分のＸ方向に列をなす画素電極群（以下、「Ｘ方向画素電極群」とも呼ぶ）毎に設けられ、各行に対応する画素電極群を同時駆動する。各ゲート線３３の第１配線３３ａの一端側は、ドライバＩＣ４０の出力側の端子（図示略）に電気的に接続されている。
【００２３】
各画素電極１０は、例えばＩＴＯ（Indium-Tin Oxide）などの透明導電材料により形成され、各サブ画素領域ＳＧに対応する位置に設けられている。各ＴＦＴ素子２１は、各ソース線３２と各ゲート線３３の第２配線３３ｂの交差位置に設けられており、各ソース線３２、各ゲート線３３及び各画素電極１０等に電気的に接続されている。
【００２４】
１つの画素領域ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。なお、有効表示領域Ｖの外側の領域は表示に寄与しない額縁領域３８である。この額縁領域３８には、ゲート線３３の第１配線３３ａが引き回されている。また、各ソース線３２、各ゲート線３３、各ＴＦＴ素子２１、及び各画素電極１０等の内面上には、図示しない配向膜が形成されている。
【００２５】
次に、カラーフィルタ基板９２の平面構成は次の通りである。カラーフィルタ基板９２は、黒色の樹脂材料等よりなる遮光層（一般に「ブラックマトリクス」と呼ばれ、以下では、単に「ＢＭ」と略記する）、Ｒ、Ｂ、Ｇの３色の着色層６Ｒ、６Ｂ、６Ｇ、Ｗの色を形成する透明樹脂層、及び共通電極８（図２を参照）などを有する。なお、以下の説明において、色を問わずに着色層を指す場合は単に「着色層６」と記し、色を区別して着色層を指す場合は「着色層６Ｒ」などと記す。ＢＭは、各サブ画素領域ＳＧを区画する位置に形成されている。図１においてＷに対応する各サブ画素領域ＳＧには、着色層６は特に設けられておらず、その代わりに、例えば、透明性を有する透明樹脂材料などよりなる透明樹脂層（図示略）が設けられている。透明樹脂層は、着色層６と同一の大きさ及び厚さに形成されている。
【００２６】
共通電極８は、画素電極と同様にＩＴＯなどの透明導電材料からなり、カラーフィルタ基板９２の略一面に亘って形成されている。共通電極８は、シール材５の隅の領域Ｅ１において、配線１５の一端側と電気的に接続されていると共に、当該配線の他端側は、ドライバＩＣ４０のＣＯＭに対応する出力端子と電気的に接続されている。
【００２７】
以上の構成を有する液晶装置１００では、電子機器等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極１０に対し、表示内容に応じたソース信号を、それぞれ対応するＳ１、Ｓ２、・・・、Ｓｎ−１、Ｓｎ（ｎは自然数）のソース線３２並びにＴＦＴ素子２１を介して供給する。その結果、液晶層４の表示状態が、非表示状態または中間表示状態に切り替えられ、液晶層４の配向状態が制御されることとなる。
【００２８】
次に、図２を参照して、液晶装置１００の断面構成について説明する。図２は、図１における切断線Ａ−Ａ’に沿った断面図であり、特に、ＲＢＧＲＢＧＲＢＧ・・・の順に着色層６が配列されたＸ方向画素電極群を通る位置で切断した液晶装置の断面図である。なお、図示の便宜上、１つの画素領域ＡＧに相当するＲＢＧ３つのサブ画素分の領域のみを示している。
【００２９】
下側基板１は、ガラスや石英等の絶縁性を有する材料にて形成されている。各サブ画素ＳＧ内には、略中央に開口部４５ｘを有する反射層４５が設けられている。反射層４５が設けられた領域が反射表示領域となり、開口部４５ｘの領域が透過表示領域となる。なお、反射層４５は表面に微細な凹凸を有する透明樹脂層の上に設けてもよい。
【００３０】
開口部４５ｘの領域には透明樹脂層などが設けられており、開口部４５ｘ内の透明樹脂層及び反射層４５の上に画素電極１０が形成されている。下側基板１の内面上であって且つ画素電極１０の隅の位置近傍には、当該画素電極１０と電気的に接続されたＴＦＴ素子２１が設けられている。下側基板１の内面上において、相隣接する画素電極１０の間には、ソース線３２が形成されている。図２の断面構成では、各画素電極１０は、対応するＴＦＴ素子２１を介して、ソース線３２に電気的に接続されている。下側基板１、画素電極１０、ＴＦＴ素子２１、並びに、ソース線３２の各内面上には、図示しない配向膜が形成されている。また、下側基板１の外面上には偏光板１１が配置されていると共に、偏光板１１の外面上には、照明装置としてのバックライト１５が配置されている。バックライト１５は、例えば、ＬＥＤ（Light Emitting Diode）等といった点状光源や、冷陰極蛍光管等といった線状光源と導光板を組み合わせたものなどが好適である。
【００３１】
一方、上側基板２の内面上には、サブ画素領域ＳＧ毎に、Ｒ、Ｂ、Ｇの３色のいずれかからなる着色層６がＲＢＧＲＢＧＲＢＧ・・・の配列順序で設けられている。なお、図２と異なる断面では、それに対応するようにサブ画素領域ＳＧ毎に、着色層６及び透明樹脂層がＧＷＲＧＷＲＧＷＲ・・・の配列順序で設けられている。即ち、かかる断面構成では、図２において、着色層６Ｒを着色層６Ｇに、また、着色層６Ｂを透明樹脂層に、さらに、着色層６Ｇを着色層６Ｒに夫々置き換えた構成となっている。このため、着色層６Ｒ、６Ｇ及び６Ｂ並びに透明樹脂層は、各画素電極１０と対向している。
【００３２】
また、各着色層６の間及び各透明樹脂層の周囲に対応する上側基板２の内面上には、隣接するサブ画素領域ＳＧを隔て、一方のサブ画素領域ＳＧから他方のサブ画素領域ＳＧへの光の混入を防止するためＢＭが形成されている。着色層６、透明樹脂層及びＢＭ等の内面上には、アクリル樹脂等からなるオーバーコート層１９が形成されている。このオーバーコート層１９は、液晶装置１００の製造工程中に使用される薬剤等による腐食や汚染から、着色層６、透明樹脂層等を保護する機能を有している。オーバーコート層１９の内面上には、ＩＴＯ等からなる共通電極８が形成されている。なお、共通電極８等の内面上には、図示しない配向膜が形成されている。また、上側基板２の外面上には、偏光板１２が配置されている。また、下側基板１と上側基板２とはシール材５を介して対向しており、その両基板の間には液晶が封入され液晶層４が形成されている。
【００３３】
以上の構成を有する液晶装置１００において透過型表示がなされる場合、バックライト１５から出射した照明光は、図２に示す経路Ｔに沿って進行し、画素電極１０、着色層６、及び透明樹脂層等を通過して観察者に至る。この場合、その照明光は、着色層６及び透明樹脂層等を透過することにより所定の色相及び明るさを呈する。一方、液晶装置１００において反射表示がなされる場合、外光が経路Ｒに沿って進行し、着色層６、液晶層４などを通過して反射層４５により反射された後、再度液晶層４、着色層６などを通過して観察者に至る。こうして、所望のカラー表示画像が観察者により視認される。
【００３４】
次に、図１及び図３等を参照して、ソース線及びゲート線を含む配線、並びに画素配列等の構成について説明する。図３（ａ）は、２画素分に対応する素子基板９１の部分平面図を示している。図３（ｂ）は、図３（ａ）における切断線Ｘ１−Ｘ２に沿った断面図であり、特に、ＴＦＴ素子２１の断面構成を示している。なお、以下では、上記で説明した要素についての説明は省略又は簡略化する。
【００３５】
下側基板１上には、マトリクス状に画素電極１０が配置されており、各画素電極１０は、カラーフィルタ基板９２側の共通電極８と対向している。１画素に対応する各画素電極１０と各着色層６及び透明樹脂層との配置関係は次の通りである。図１及び図３において、１つの画素領域ＡＧに着目した場合、１画素は、２つのＲの着色層６Ｒ、２つのＧの着色層６Ｇ、１つのＢの着色層６Ｂ、及び１つのＷ（透明）の透明樹脂層を有し、２行３列に対応する６つのサブ画素により構成されている。
【００３６】
そして、１つの画素領域ＡＧにおいて、１行分に対応する３つのサブ画素に対応する位置には、左から右方向に向かってＲＢＧの順序で着色層６が配列されていると共に、他の１行分に対応する３つのサブ画素に対応する位置には、同じく左から右方向に向かってＧＷＲの順序で着色層６及び透明樹脂層が配列されている。このため、１つのＢの着色層６Ｂと、１つのＷの透明樹脂層とは同一の列方向に配置され、一対のＲの着色層６Ｒと一対のＧの着色層６Ｇとは、１つのＢ（青）の着色層６Ｂ及び１つのＷ（透明色）の透明樹脂層を中心として、互いに交差する位置に且つ斜め方向に対応する位置に配置されている。
【００３７】
図３（ｂ）を参照して、ＴＦＴ素子２１の断面構成について説明する。
【００３８】
ＴＦＴ素子２１では、後述するゲート線３３の第２配線３３ｂから分岐したゲート電極４０１の上に、それを覆うようにゲート絶縁膜４０３が設けられている。ゲート絶縁膜４０３の上には、ゲート電極４０１に重なるようにａ−Ｓｉ層４０５が設けられている。ａ−Ｓｉ層４０５の上には、２つに分断されたｎ＋−ａ−Ｓｉ層４０６ａ、４０６ｂが設けられている。さらに、ｎ＋−ａ−Ｓｉ層４０６ａの上には、後述するソース線３２ａ又は３２ｂから分岐したソース電極４０８が設けられ、ｎ＋−ａ−Ｓｉ層４０６ｂの上にはドレイン電極４０９が設けられている。ドレイン電極４０９の上には、画素電極１０が部分的に重なるように設けられている。
【００３９】
図３（ａ）に戻り、Ｙ方向に列をなす画素電極群（以下、「Ｙ方向画素電極群」と呼ぶ。）の左側には、ソース線３２が設けられている。各ソース線３２は、所定の間隔毎に右方向に分岐するソース電極４０８を有する。各ソース線３２のソース電極４０８は、各Ｙ方向画素電極群における各画素電極１０の左下隅の位置に設けられたＴＦＴ素子２１と電気的に接続されている。
【００４０】
各ゲート線３３の第２配線３３ｂは、各行に対応する画素電極群毎に設けられおり、上下方向に分岐するゲート電極４０１を有する。
【００４１】
［着色層の調整］
次に、本発明の中心部分である、各サブ画素の着色層の調整について説明する。図３（ａ）などに示すように１つの単位画素ＡＧを２つのＲのサブ画素、２つのＧのサブ画素、１つのＢのサブ画素及び１つのＷのサブ画素で構成する場合、通常の１つの単位画素がＲＧＢ各１つのサブ画素で構成される場合と比較して、着色層を同じ厚さ及び濃度で構成すると、Ｂの色に対してＲ及びＧの色の割合が大きくなるため、表示画像における白色は黄色がかった白色になる。そこで、本発明では、Ｒ及びＧのサブ画素の着色層の厚さ又は濃度を、Ｂのサブ画素の着色層より小さくすることにより、ＲＧＢ各色のバランスを調整し、白色表示を所望の色度とする。
【００４２】
（第１実施例）
第１実施例は各色着色層の厚さを一定とし、濃度を調整する。図４に、第１実施例の液晶装置１００ａの構成を示す。図４は第１実施例による液晶装置１００ａの縦横２画素分の領域の概略構成を示す平面図である。図５は、第１実施例による液晶装置１００ａの、図４における切断線Ｄ−Ｄ’に沿った断面図である。
【００４３】
図４に示すように、液晶装置１００ａは、各単位画素ＡＧが２つのＲのサブ画素、２つのＧのサブ画素、１つのＢのサブ画素及び１つのＷのサブ画素により構成されている。各サブ画素は、ソース線３２とデータ線３３の交差位置に設けられている。また、前述のように液晶装置１００ａは半透過反射型の装置であり、各サブ画素には開口部４５ｘが形成されている。即ち、開口部４５ｘが透過表示領域を構成し、その周辺が反射表示領域を構成する。
【００４４】
各サブ画素の周囲には、矩形の各サブ画素の４辺に沿って遮光層としてＢＭが形成されている。なお、図５に示すようにＢＭはカラーフィルタ基板９２側に形成されるが、図４はカラーフィルタ基板９２側から見た液晶装置１００ａの平面図を示している。図示の便宜上、図４ではＢＭを透視した平面図として示している。各サブ画素において、画素電極１０の領域のうち、ＢＭにより覆われていない領域が表示部（表示領域）となる。
【００４５】
図５に示すように、ＲＧＢ各サブ画素の着色層６Ｒ、６Ｂ、６Ｂは厚さが等しい。本実施例では、Ｒ及びＧの着色層６Ｒ及び６Ｂの濃度を、Ｂの着色層６Ｂの濃度より小さくしてある。Ｂの着色層はＢの波長範囲の光を透過するフィルタとして機能する。上述のように、Ｂのサブ画素の代わりにＷのサブ画素を設けた画素構成を採用すると、Ｂの着色層が減少するため、Ｒ及びＢの波長範囲の光に対して、Ｂの波長範囲の光が不足することになり、表示される白色が黄色よりになる。そこで、本実施例では、Ｒ及びＧの着色層の濃度をＢの着色層の濃度より小さくする。Ｒの着色層はＲの波長範囲の光を透過するフィルタとして機能するが、濃度を小さくすることにより、Ｒ以外の波長範囲の光、即ちＢの波長範囲の透過光量が増加する。同様に、Ｇの着色層はＧの波長範囲の光を透過するフィルタとして機能するが、濃度を小さくすることにより、Ｇ以外の波長範囲の光、即ちＢの波長範囲の透過光量が増加する。よって、Ｒ及びＧの着色層の濃度をＢの着色層の濃度より小さくすることにより、着色層全体を透過するＢの波長範囲の光量を増加させることができる。これにより、白色表示を好ましい色度に調整することができる。
【００４６】
（第２実施例）
第２実施例は各色着色層の濃度を一定とし、厚さを調整する。第２実施例による液晶装置１００ｂの平面構成は図４に示すものと同様である。図７は第２実施例による液晶装置１００ｂの図４における切断線Ｄ−Ｄ’に沿った断面図である。
【００４７】
図７に示すように、ＲＧＢ各サブ画素の着色層６Ｒ、６Ｂ、６Ｂは厚さが異なる。詳しくは、Ｒ及びＧの着色層６Ｒ、６Ｇの厚さは、Ｂの着色層６Ｂの厚さより小さい。本実施例では、着色層６Ｒ、６Ｇ、６Ｂの濃度は等しい。なお、図７において、着色層６Ｒ、６Ｇ、６Ｂの厚さの相違は、それらの上に形成されるオーバーコート層１９により吸収され、画素電極８は平坦に形成されている。
【００４８】
Ｂの着色層はＢの波長範囲の光を透過するフィルタとして機能する。上述のように、Ｂのサブ画素の代わりにＷのサブ画素を設けた画素構成を採用すると、Ｂの着色層が減少するため、Ｒ及びＢの波長範囲の光に対して、Ｂの波長範囲の光が不足することになり、表示される白色が黄色よりになる。そこで、本実施例では、Ｒ及びＧの着色層６Ｒ、６Ｇの厚さをＢの着色層６Ｂの厚さより小さくする。Ｒの着色層６ＲはＲの波長範囲の光を透過するフィルタとして機能するが、厚さを小さくすることにより、Ｒ以外の波長範囲の光、即ちＢの波長範囲の透過光量が増加する。同様に、Ｇの着色層６ＧはＧの波長範囲の光を透過するフィルタとして機能するが、厚さを小さくすることにより、Ｇ以外の波長範囲の光、即ちＢの波長範囲の透過光量が増加する。よって、Ｒ及びＢの着色層６Ｒ、６Ｇの厚さをＢの着色層６Ｂの厚さより小さくすることにより、着色層全体を透過するＢの波長範囲の光量を増加させることができる。これにより、白色表示を好ましい色度に調整することができる。
【００４９】
（ＲとＧの調整量）
本発明では、上述のように、Ｒ及びＧの着色層の厚さ又は濃度を、Ｂの着色層の厚さ又は濃度より小さくする。ここでは、ＲとＧの着色層の調整量について検討する。
【００５０】
図７に着色層６Ｒ、６Ｇ、６Ｂの分光特性を示す。図７から理解されるように、Ｇの着色層の分光特性における山は、Ｂの着色層の分光特性における山の右側に隣接しており、Ｂの着色層の分光特性における山と一部重なっている。Ｇの着色層の厚さ又は濃度を小さくすると、Ｇの着色層の分光特性が図７上で上方にシフトすることとなり、Ｇ以外の色の透過光量が増加する。特に、Ｇの分光特性と隣接し、一部重なるＢの透過光量は比較的大きく増加する。
【００５１】
これに対し、Ｒの着色層の分光特性における山は、Ｂの着色層の分光特性における山と隣接しておらず、部分的に重なってもいない。Ｒの着色層の厚さ又は濃度を小さくすると、Ｒの分光特性における山は図７における上方にシフトし、Ｒ以外の色の透過光量が増加するが、Ｇの着色層の厚さ又は濃度を小さくした場合ほどＧの透過光量の増加分は大きくない。
【００５２】
以上より、ＲとＧの着色層の調整量については、Ｇの着色層の厚さ又は濃度をＲの着色層の厚さ又は濃度より小さくした方が、より効果的にＢの光の透過光量を増加できることが理解される。よって、Ｒ及びＧの着色層の厚さ又は濃度をＢの着色層の厚さ又は濃度より小さくした上で、さらにＧの着色層の厚さ又は濃度をＲの着色層の厚さ又は濃度より小さくすることがより好ましい。
【００５３】
（調整例）
図８に着色層の調整例を示す。図８（ａ）は、ＲＧＢの着色層の厚さ及び濃度が同一である場合のＲＧＢＷ各色の色座標Ｒ１、Ｇ１、Ｂ１及びＷ１を示す。図８（ｂ）は、Ｒ及びＧの着色層の厚さ又は濃度を、Ｂの着色層の厚さ又は濃度の１／４にした場合のＲＧＢＷ各色の色座標Ｒ２、Ｇ２、Ｂ２及びＷ２を示す。図８（ｃ）は、調整前の色座標Ｒ１、Ｇ１、Ｂ１及びＷ１と、本発明による調整後の色座標Ｒ２、Ｇ２、Ｂ２及びＷ２をｘｙ色度図上にプロットしたものである。図８（ｃ）から理解されるように、調整後の色座標Ｒ２及びＧ２は、調整前の色座標Ｒ１及びＧ１より青色側にシフトしており、その結果、白色点の色座標Ｗ１は、より青色側の色座標Ｗ２に移動している。よって、液晶装置全体として表現される白色点は青色側へ補正されている。この調整例では、Ｒ及びＧの着色層の厚さ又は濃度をＢの着色層の厚さ又は濃度の１／４にしているが、実際には、目標とする白色点の色座標が得られるように、Ｒ及びＧの着色層の厚さ又は濃度を調整すればよい。その際、前述のようにＲとＧの着色層の厚さ又は濃度を異ならせることも有効である。
【００５４】
［変形例］
上記の第１実施例では各色着色層の厚さを一定とし、濃度を調整している。また、第２実施例では、各色着色層の濃度を一定とし、厚さを調整している。これらの代わりに、各色着色層の厚さ及び濃度の両方を調整することにより、白色表示の色度を好ましい値に調整することもできる。
【００５５】
上記の実施例では、１つの単位画素が２つのＲのサブ画素、２つのＧのサブ画素、１つのＢのサブ画素及び１つのＷのサブ画素で構成される液晶装置を例示したが、本発明の適用はこのような画素構成を有する装置に限定されない。即ち、ＲＧＢ３色に対してＷのサブ画素を加えて単位画素を構成した結果、Ｂのサブ画素の領域がＲ及びＧに対して減少した画素構成を有する装置に対して、本発明を適用することが可能である。
【００５６】
また、本発明の適用において、サブ画素ＳＧ内における反射表示領域と透過表示領域の構成は、上記の実施例には限定されない。本実施形態では、サブ画素ＳＧの略中央に設けた開口部４５ｘを透過領域とし、その周囲を反射領域としているが、その代わりに、１つのサブ画素ＳＧの領域を単純に２分割し、一方に反射膜を設けて反射表示領域とし、他方には反射膜を設けずに透過表示領域としてもよい。
【００５７】
また、上記実施形態の液晶装置はスイッチング素子としてアモルファスＴＦＴを用いているが、本発明はスイッチング素子としてＴＦＤを用いた液晶装置に適用することもできる。さらに、上記実施形態の液晶装置は半透過反射型であるが、これに限らず、反射型、透過型の液晶装置も本発明を同様に適用することができる。また、本発明は、上記した液晶装置だけに限らず、電気光学装置の一例としての有機エレクトロルミネッセンス表示装置にも好適に適用することができる。
【００５８】
［電子機器］
次に、本発明による液晶装置１００又は２００を電子機器の表示装置として用いる場合の実施形態について説明する。
【００５９】
図９は、本実施形態の全体構成を示す概略構成図である。ここに示す電子機器は、上記の液晶装置１００又は２００と、これを制御する制御手段４１０とを有する。ここでは、液晶装置１００又は２００を、パネル構造体４０３と、半導体ＩＣなどで構成される駆動回路４０２とに概念的に分けて描いてある。また、制御手段４１０は、表示情報出力源４１１と、表示情報処理回路４１２と、電源回路４１３と、タイミングジェネレータ４１４と、を有する。
【００６０】
表示情報出力源４１１は、ＲＯＭ（Read Only Memory）やＲＡＭ（Random Access Memory）などからなるメモリと、磁気記録ディスクや光記録ディスクなどからなるストレージユニットと、デジタル画像信号を同調出力する同調回路とを備え、タイミングジェネレータ４１４によって生成された各種のクロック信号に基づいて、所定フォーマットの画像信号などの形で表示情報を表示情報処理回路４１２に供給するように構成されている。
【００６１】
表示情報処理回路４１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路４０２へ供給する。駆動回路４０２は、走査線駆動回路、データ線駆動回路及び検査回路を含む。また、電源回路４１３は、上述の各構成要素にそれぞれ所定の電圧を供給する。
【００６２】
次に、本発明に係る液晶装置１００又は２００を適用可能な電子機器の具体例について図１０を参照して説明する。
【００６３】
まず、本発明に係る液晶装置１００又は２００を、可搬型のパーソナルコンピュータ（いわゆるノート型パソコン）の表示部に適用した例について説明する。図１０（ａ）は、このパーソナルコンピュータの構成を示す斜視図である。同図に示すように、パーソナルコンピュータ７１０は、キーボード７１１を備えた本体部７１２と、本発明に係る液晶表示パネルを適用した表示部７１３とを備えている。
【００６４】
続いて、本発明に係る液晶装置１００又は２００を、携帯電話機の表示部に適用した例について説明する。図１０（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１００又は２００を適用した表示部７２４を備える。
【００６５】
なお、本発明に係る液晶装置１００又は２００を適用可能な電子機器としては、図１０（ａ）に示したパーソナルコンピュータや図１０（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００６６】
【図１】本発明の実施形態に係る液晶装置の構成を概略的に示す平面図。
【図２】図１の切断線Ａ−Ａ’に沿った液晶装置の断面図。
【図３】実施形態に係る画素配列構造及びＴＦＴ素子の構成等を示す図。
【図４】第１及び第２実施例に係る画素配列構造を示す部分平面図。
【図５】第１実施例の図４の切断線Ｄ−Ｄ’に沿った液晶装置の断面図。
【図６】第２実施例の図４の切断線Ｄ−Ｄ’に沿った液晶装置の断面図。
【図７】ＲＧＢ各色の着色層の分光特性を示すグラフ。
【図８】Ｒ及びＧのサブ画素の着色層の調整例を示す図表。
【図９】本発明の液晶装置を適用した電子機器の回路ブロック図。
【図１０】本発明の液晶装置を適用した電子機器の例。
【符号の説明】
【００６７】
１  下側基板、  ２  上側基板、  ６  着色層、  ８  共通電極、  ９  透明樹脂層、  １０  画素電極、  ２１  ＴＦＴ素子、  ３２  ソース線、  ３３  ゲート線、  ３８  額縁領域、  ８１  走査線、  ８２ａ、８２ｂ  データ線、  ９１  素子基板、  ９２  カラーフィルタ基板、  １００  液晶装置
【図１】
2007094029.tif 000003
【図２】
2007094029.tif 000004
【図３】
2007094029.tif 000005
【図４】
2007094029.tif 000006
【図５】
2007094029.tif 000007
【図６】
2007094029.tif 000008
【図７】
2007094029.tif 000009
【図８】
2007094029.tif 000010
【図９】
2007094029.tif 000011
【図１０】
2007094029.tif 000012